(57)【特許請求の範囲】
【請求項１】
入口に挿入される紙葉を搬送通路に沿って搬送する搬送装置と、搬送される紙葉の光学的特徴又は磁気的特徴を検出する識別センサと、紙葉の情報を予め記憶する拡張記憶装置と、識別センサの出力する紙葉の情報と拡張記憶装置の紙葉の情報とを比較し、紙葉の真偽又は種類を判定して、搬送装置を制御する中央制御装置とを備え、
拡張記憶装置は、記憶制御装置と、記憶制御装置に接続されたアドレス指定装置とを備え、
記憶制御装置は、それぞれ中央制御装置での処理可能な記憶容量で複数の紙葉の情報を記憶しかつ中央制御装置から付与される情報アドレスにより記憶される情報を中央制御装置に付与する複数のバンクメモリと、各バンクメモリに記憶された情報に割り当てられた情報アドレス及び各バンクメモリに割り当てられたバンク切替用アドレスとを有する情報記憶装置とを備え、
アドレス指定装置は、各バンクメモリから中央制御装置に付与される情報に含まれる次に切り替えるべきバンクメモリのバンクアドレスを識別しかつ一時的に保持すると共に、中央制御装置からバンク切替用アドレスに対する読み出しアクセスが発生したとき、次に切り替えるべきバンクメモリの一時的に保持したバンクアドレスを記憶制御装置に付与して、記憶制御装置を次のバンクメモリに切り替え、
中央制御装置は、最初に読み出される第１のバンクメモリに記憶された情報に基づいて、入口から挿入された紙葉の搬送及び読取のプログラムを実行し、
その後、分類１又は分類２にそれぞれ該当する異なる紙葉の真偽を判断する場合に、記憶制御装置を第１のバンクメモリから第１のバンクメモリ以外でかつ互いに異なる他のバンクメモリに切り替えて、他のバンクメモリから真正紙葉の情報を中央制御装置に読み出し、
中央制御装置は、他のバンクメモリから読み出した真正紙葉の情報により、紙葉の真偽判断を行うことを特徴とする紙葉類鑑別装置。
【請求項２】
分類１に該当する紙葉、分類２に該当する紙葉又は分類１若しくは２に該当しない紙葉の真偽を判断する場合に、記憶制御装置を第１のバンクメモリから第１のバンクメモリ以外でかつ互いに異なる他のバンクメモリに切り替えて、他のバンクメモリから真正紙葉の情報を中央制御装置に読み出し、
中央制御装置は、他のバンクメモリから読み出した真正紙葉の情報により、紙葉の真偽判断を行う請求項１に記載の紙葉類鑑別装置。
【請求項３】
中央制御装置は、最初に読み出される第１のバンクメモリに記憶された情報に基づいて、入口から挿入された紙葉の搬送、読取及び金種判定のプログラムを実行する請求項１に記載の紙葉類鑑別装置。
【請求項４】
各バンクメモリの記憶容量は、拡張記憶装置を中央制御装置に接続する前に中央制御装置に接続された既存記憶装置の記憶容量と実質的に同一又はこれより大きく、第１のバンクメモリに記憶された情報は、既存記憶装置に記憶された情報の少なくとも一部と同一の情報を含む請求項１に記載の紙葉類鑑別装置。
【請求項５】
アドレス指定装置は、記憶制御装置に接続されたラッチ装置を備え、ラッチ装置は、各バンクメモリに記憶された情報が中央制御装置に読み出されるときに、各バンクメモリに含まれる次に読み出すべきバンクメモリのバンクアドレスを識別しかつ一時的に保持し、中央制御装置からバンク切替用アドレスに対する読み出しアクセスが発生したとき、次に指定すべきバンクメモリのバンクアドレスを記憶制御装置に付与して、記憶制御装置を次のバンクメモリに切り替える請求項１〜４の何れか１項に記載の紙葉類鑑別装置。
【請求項６】
中央制御装置のバンク切替用アドレスに対する読み出しアクセスの発生に従ってラッチ装置に同期信号を付与する同期信号発生回路を備え、ラッチ装置は、同期信号発生回路から同期信号を受信したときに、次に指定すべきバンクメモリのバンクアドレスを記憶制御装置に付与する請求項５に記載の紙葉類鑑別装置。
【請求項７】
電源投入時に、ラッチ装置にリセット信号を付与するリセット信号発生装置を備え、ラッチ装置は、リセット信号を受信したときに、複数のバンクメモリのうち第１のバンクメモリを指定するバンクアドレスを自動的に選択して、中央制御装置からバンク切替用アドレスに対する読み出しアクセスが発生したとき、記憶制御装置のバンクアドレスバスに送出する請求項５又は６に記載の紙葉類鑑別装置。
【請求項８】
記憶制御装置は、中央制御装置からの読み出し信号を遅延して記憶制御装置に付与して、記憶制御装置の読み出し可能状態の開始を遅らせる遅延回路を有する請求項１〜７の何れか１項に記載の紙葉類鑑別装置。
【発明の詳細な説明】
【０００１】
【発明の属する技術分野】
本発明は、中央制御装置に接続された既存の記憶装置に代えて、拡張されたメモリを有する新規な記憶装置を中央制御装置に接続して動作プログラムを変更できる紙葉類鑑別装置に関する。
【０００２】
【従来の技術】
現在、情報を記憶する記憶装置及び記憶装置の情報を読み取りかつ処理する中央制御装置（ＣＰＵ）は、多くの産業で広く使用されている。例えば、紙幣又はクーポン券等の紙葉の判別及び真偽鑑別を行う紙葉類鑑別装置の記憶装置及び中央制御装置を図３〜図５について説明する。
【０００３】
図３に示すように、紙葉類鑑別装置(10)は、搬送通路(29)に隣接して配置された磁気ヘッド又はホール素子からなる磁気センサ(22)と、発光ダイオードと受光トランジスタのホトカップリングにより構成される光学センサ(23〜26)とを備える。磁気センサ(22)及び光学センサ(23〜26)は、搬送通路(29)に隣接して配置された識別センサ(21)を構成し、中央制御装置(1)は、識別センサ(21)の出力に基づいて紙葉の真偽を判定すると共に搬送装置(16)に駆動信号を付与する。
【０００４】
搬送通路(29)は、駆動プーリ(17)に捲回された搬送ベルト(15)を備えた搬送装置(16)及び搬送ベルト(15)と平行に配置された案内壁部(15a)によって構成される。磁気センサ(22)は、紙葉の所定の位置に印刷された磁性インキを検出する。入口(14)に隣接して配置された光学センサ(23)は、赤外線による紙葉の光学的透過パターンを検出し、入口(14)に挿入された紙葉を検出する。例えば、光学センサ(23)は、紙葉類鑑別装置(10)の下部フレーム(30)に固定された発光ダイオード(23a)と、上部フレーム(31)に固定された受光トランジスタ(23b)とを備えている。
【０００５】
図示しないが、上部フレーム(31)は、下部フレーム(30)に軸着され、下部フレーム(30)に対して上部フレーム(31)を開放することにより、搬送通路(29)内でジャミングした紙葉を容易に除去することができる。下部フレーム(30)と上部フレーム(31)とにより紙葉類鑑別装置(10)のフレームは、構成される。光学センサ(24,25)は、発光ダイオードと受光トランジスタがケース内で並行に配置された構造を有し、各紙葉の裏面及び表面で反射した光を受光する。光学センサ(26)は、赤外線の透過パターンにより紙葉の位置及び通過を検出し、下部フレーム(30)に固定された発光ダイオード(26a)と、上部フレーム(31)に固定された受光トランジスタ(26b)とを備えている。
【０００６】
磁気センサ(22)が確実に紙葉から磁気信号を検出するため、押圧ローラ(27)は、紙葉を磁気センサ(22)に対して押圧する。搬送ベルト(15)が捲回された駆動プーリ(17)は、下部フレーム(30)に取り付けられ、駆動プーリ(17)に対向して上部フレーム(31)に紙葉を駆動ベルト(15)に対して押圧するローラ(32,33)が回転可能に取り付けられる。光学センサ(25)の後部には、紙葉の通過を検出するレバー(34)が軸(35)に回転可能に取り付けられる。レバー(34)の一端はばね(36)により付勢され、レバー(34)の他端は、搬送通路(29)内に突出する。紙葉が搬送通路(29)を通過すると、レバー(34)がばね(36)の弾力に抗して回転され、紙葉の通過を許容する。このとき、レバー(34)の回転は、ホトセンサを有するレバーセンサ(37)により検出される。紙葉類鑑別装置(10)の上部にスタッカ(28)が固定され、紙葉類鑑別装置(10)とスタッカ(28)は、入口(14)から投入される紙葉を紙葉類鑑別装置(10)の出口(20)まで移動する搬送通路(29)により連絡される。
【０００７】
図４に示すように、識別センサ(21)及びレバーセンサ(37)は、中央制御装置(1)の対応する入力端子（入力部）に接続され、中央制御装置(1)の対応する出力端子（出力部）は、搬送装置(16)に接続され、中央制御装置(1)は、ＬＳＩ（大規模集積回路）等のワンチップマイクロコンピュータ又はディスクリート回路により構成され、入力端子で受信した入力信号に対応して出力端子に指令信号を発生する。搬送装置(16)は、搬送モータ(32)を駆動制御する出力を発生する。中央制御装置(1)は、紙葉の光学的特徴又は磁気的特徴を検出する識別センサ(21)の出力を受信し、既存記憶装置(12)のメモリ(19)に予め記憶された所定の光学又は磁気パターンと比較する。識別センサ(21)の出力と既存記憶装置(12)のメモリ(19)に記憶された紙葉情報とが一致したときに搬送装置(16)に出力を送出し、搬送装置(16)は、搬送モータ(32)に駆動信号を付与して紙葉を出口(20)に移動する。
【０００８】
紙葉類鑑別装置(10)は、図４に示すように、識別センサ(21)及びレバーセンサ(37)に接続された入力部と、搬送装置(16)に接続された出力部と、中央制御装置(1)に接続されかつ情報を記憶する既存記憶装置(12)と、入力部で受信した入力信号に応答して既存記憶装置(12)に記憶された情報に基づいてプログラム制御された指令信号を出力部に発生する中央制御装置(1)とを備える。紙葉類鑑別装置(10)では、中央制御装置(1)は、入力部に識別センサ(21)及びレバーセンサ(37)を接続し、出力部に搬送装置(16)を接続するが、これらの設定は、適宜変更可能である。既存記憶装置(12)は、紙葉の情報及び装置内での紙葉の搬送、読取、真偽判定のプログラムを記憶するメモリ(19)と、メモリ(19)のアドレスを記憶する情報記憶装置(18)とを有する記憶制御装置(13)を備える。中央制御装置(1)は、演算及び制御を行う本体部を備え、本体部は、既存記憶装置(12)に対する読み出し信号を発生する制御端子と、アクセス空間を記憶する内部メモリと、アドレス及び情報を一時的に保持するレジスタとを備える。また、既存記憶装置(12)及び中央制御装置(1)は、中央制御装置(1)から既存記憶装置(12)にアドレス信号を送信する際に使用されるアドレスバスと、中央制御装置(1)に既存記憶装置(12)から情報が返信する際に使用されるデータバスとを備え、中央制御装置(1)は、アドレスバスを通して既存記憶装置(12)の情報記憶装置(18)に記憶されたアドレスを指定し、そのアドレスが割り振られたメモリ(19)に記憶される情報をデータバスを通して読み取ると共に、読み取った情報に基づいて出力部から指令信号を出力し、搬送装置(16)を制御する。
【０００９】
次に、紙葉類鑑別装置(10)の中央制御装置(1)及び既存記憶装置(12)の動作について説明する。図５は、紙葉の挿入から収納までの動作手順のフローチャートを示す。ステップ６１で電源スイッチ(38)がオンされ、電源(11)が投入されると、図４に示す中央制御装置(1)にリセット信号が付与され、紙葉類鑑別装置(10)は、初期化されると共に、ＲＤ端子から既存記憶装置(12)のＯＥ端子に読み出し信号を送出して、既存記憶装置(12)を読み出し可能状態に変更する。その後、中央制御装置(1)は、アドレスバスを通じて情報記憶装置(18)にアクセスしてメモリ(19)から情報を受信し、紙葉を受け取る準備を行う。紙葉類鑑別装置(10)の入口(14)に紙葉が挿入されると、光学センサ(23)が紙葉の挿入を検知する（ステップ６２）。光学センサ(23)の出力信号を入力部により受信した中央制御装置(1)は、読み出し信号を発生し、入口(14)から挿入された紙葉を搬送通路(29)に沿って紙葉類鑑別装置(10)内に搬送するプログラムを既存記憶装置(12)から読み取り、出力部から命令信号を搬送装置(16)に出力する。ステップ６３に進み、搬送装置(16)により搬送された紙葉は、搬送通路(29)内を通る間に磁気センサ(22)及び光学センサ(24〜26)を含む識別センサ(21)によって光学的特徴又は磁気的特徴が検出され、紙葉の特徴が読み取られる。
【００１０】
読み取られた紙葉の情報は、既存記憶装置(12)のメモリ(19)に記憶された金種情報と比較され（ステップ６４）、挿入された紙葉の金種が判別される（ステップ６５）。ステップ６５により金種が判定された紙葉は、ステップ６６に進み、メモリ(19)に予め記憶された真正紙葉の情報と比較され、挿入された紙葉の真偽が判定される。ステップ６７に進み、中央制御装置(1)は、真偽鑑別を行い紙葉を真正と判断したとき、搬送装置(16)に命令信号を出力し、搬送モータ(32)を駆動して紙葉を紙葉類鑑別装置(10)の上部に固定されたスタッカ(28)に搬送し収納する（ステップ６８）。ステップ６５で挿入された紙葉がメモリ(19)に記憶された金種でないとき又はステップ６７で真券でないと判断したとき、紙葉搬送装置(16)は、逆転され、挿入された紙葉は、入口(14)に返却される（ステップ６９）。
【００１１】
【発明が解決しようとする課題】
ところで、従来の紙葉類鑑別装置(10)では、新しい紙幣又はクーポン券等の紙葉が発行されると、新規な鑑別基準を備えたプログラムにより中央制御装置(1)を動作させなければならないと同時に、既存の紙葉及び新しい紙葉の両方が市場に出まわるため、既存の紙葉と新しい紙葉の両判断基準を含むプログラムを既存記憶装置(12)のメモリ(19)に備えておく必要がある。しかしながら、記憶容量の不足が発生した場合、既存記憶装置(12)のメモリ(19)を拡張する必要がある。この場合、メモリ(19)を拡張すると、メモリ(19)に割り振られるアドレス数が増加し、アドレスバスの本数も増加するために既存記憶装置(12)のみならず中央制御装置(1)も取り換えなければならなかった。
【００１２】
そこで、本発明は、中央制御装置を交換せず記憶装置のみを交換してメモリを拡張できる紙葉類鑑別装置を提供することを目的とする。
【００１３】
【課題を解決するための手段】
本発明による紙葉類鑑別装置は、入口(14)に挿入される紙葉を搬送通路(29)に沿って搬送する搬送装置(16)と、搬送される紙葉の光学的特徴又は磁気的特徴を検出する識別センサ(22〜26)と、紙葉の情報を予め記憶する拡張記憶装置(2)と、識別センサ(22〜26)の出力する紙葉の情報と拡張記憶装置(2)の紙葉の情報とを比較し、紙葉の真偽又は種類を判定して、搬送装置(16)を制御する中央制御装置(1)とを備える。拡張記憶装置(2)は、記憶制御装置(3)と、記憶制御装置(3)に接続されたアドレス指定装置(4)とを備える。記憶制御装置(3)は、それぞれ中央制御装置(1)での処理可能な記憶容量で複数の紙葉の情報を記憶しかつ中央制御装置(1)から付与される情報アドレス(00000h〜7FFFFh)により記憶される情報を中央制御装置(1)に付与する複数のバンクメモリ(9)と、各バンクメモリ(9)に記憶された情報に割り当てられた情報アドレス(00000h〜7FFFFh)及び各バンクメモリ(9)に割り当てられたバンク切替用アドレス(0DF00h〜7DF07h)とを有する情報記憶装置(8)とを備える。アドレス指定装置(4)は、各バンクメモリ(9a)から中央制御装置(1)に付与される情報に含まれる次に切り替えるべきバンクメモリ(9c〜9h)のバンクアドレスを識別しかつ一時的に保持すると共に、中央制御装置(1)からバンク切替用アドレス(0DF00h〜7DF07h)に対する読み出しアクセスが発生したとき、次に切り替えるべきバンクメモリ(9b〜9h)の一時的に保持したバンクアドレスを記憶制御装置(3)に付与して、記憶制御装置(3)を次のバンクメモリ(9b〜9h)に切り替える。中央制御装置(1)は、最初に読み出される第１のバンクメモリ(9a)に記憶された情報に基づいて、入口(14)から挿入された紙葉の搬送及び読取のプログラムを実行し、その後、分類１又は分類２にそれぞれ該当する異なる紙葉の真偽を判断する場合に、記憶制御装置(3)を第１のバンクメモリ(9a)から第１のバンクメモリ(9a)以外でかつ互いに異なる他のバンクメモリ(9c,9d)に切り替えて、他のバンクメモリ(9c,9d)から真正紙葉の情報を中央制御装置(1)に読み出し、中央制御装置(1)は、他のバンクメモリ(9c,9d)から読み出した真正紙葉の情報により、紙葉の真偽判断を行う。このように、第１のバンクメモリ(9a)以外のバンクメモリ(9c,9d)に記憶された従来とは異なる紙葉の情報により紙葉の真偽判断を行うことができる。よって、中央制御装置(1)の処理容量が小さくても、複数のバンクメモリ(9)を所定の順序で切り替えて各バンクメモリ(9)から中央制御装置(1)に情報を取得することにより、中央制御装置(1)による多様な紙葉鑑別制御が可能となる。従って、処理容量の小さい従来の中央制御装置(1)を変更せずに、拡張記憶装置(2)のみを交換することにより、既存の装置をそのまま使用して制御機能を拡張又は変更することができる。
【００１４】
【発明の実施の形態】
本発明による紙葉類鑑別装置の実施の形態を図１〜図３について説明する。但し、図１では図４に示す箇所と実質的に同一の部分には同一の符号を付し、その説明を省略する。
【００１５】
本発明では、中央制御装置(1)に接続された既存記憶装置(12)に換えて、拡張記憶装置(2)を中央制御装置(1)に接続できる。本発明の実施の形態では、図３に示す紙葉類鑑別装置(10)に設けられる図４に示す従前の既存記憶装置(12)を図１に示す拡張記憶装置(2)に変更して中央制御装置(1)に接続する例を示す。各バンクメモリ(9)の記憶容量は、拡張記憶装置(2)を中央制御装置(1)に接続する前に中央制御装置(1)に接続された既存記憶装置(12)の記憶容量と実質的に同一か又はこれより大きく、第１のバンクメモリ(9a)に記憶された情報は、既存記憶装置(12)に記憶された情報の少なくとも一部と同一の情報を含むが、全く異なる情報でもよい。既存記憶装置(12)は、図４に示すように、Ａ０〜Ａ１５の１６本のアドレスバスと、Ｄ０〜Ｄ７の８本のデータバスとを備え、０００００ｈ番地〜０ＦＦＦＦｈ番地（ｈは１６進数を示す）のアドレスが割り振られた５１２Ｋビットの記憶容量を有する。記憶容量を５１２Ｋビットから４Ｍビットに拡張するには、アドレスバスを現行Ａ０〜Ａ１５の１６本からＡ０〜Ａ１８の１９本に増やす必要がある。本実施の形態では、既存記憶装置(12)を拡張記憶装置(2)に変更し、記憶容量を５１２Ｋビットから８倍の約４Ｍビットに拡張することができる。即ち、下表１に示すように、増加するＡ１６〜Ａ１８の３本のアドレスバスにより、５１２Ｋビットの情報アドレス０００００ｈ〜０ＦＦＦＦｈから４Ｍビットの情報アドレス０００００ｈ〜７ＦＦＦＦｈまでアクセス空間（記憶容量）を拡張でき、０００００ｈ〜０ＦＦＦＦｈを第１のバンクメモリ(9a)として７００００ｈ〜７ＦＦＦＦｈの第８のバンクメモリ(9h)まで増加できる。
【００１６】
【表１】
0003902073.tif 000002
【００１７】
これに対し、変更のない中央制御装置(1)は、Ａ０〜Ａ１５の１６本のアドレスバスと、Ｄ０〜Ｄ７の８本のデータバスとを有し、０００００ｈ〜０ＦＦＦＦｈのアクセス空間を備える。
【００１８】
図１に示すように、本発明の紙葉類鑑別装置は、中央制御装置(1)と、中央制御装置(1)に接続された拡張記憶装置(2)とを備え、中央制御装置(1)は、図４に示す従来のものを変更せずに使用でき、拡張記憶装置(2)は、ＲＯＭ（読み出し専用の非揮発性メモリ）又はＥＰＲＯＭ（再書き込み可能な非揮発性メモリ）を使用する。拡張記憶装置(2)は、それぞれ中央制御装置(1)での処理可能な記憶容量で情報を記憶する８つのバンクメモリ(9)、バンクメモリ(9)に記憶された情報に割り当てられた情報アドレス(00000h〜7FFFFh)及び各バンクメモリ(9)に割り当てられたバンク切替用アドレス(0DF00h〜7DF07h)を有する記憶制御装置(3)とを備える。拡張記憶装置(2)は、中央制御装置(1)と記憶制御装置(3)とに接続されたアドレス指定装置(4)を備え、アドレス指定装置(4)は、ラッチ装置(4a)と、同期信号発生回路(4b)と、リセット信号発生装置(4c)とを備える。
【００１９】
ラッチ装置(4a)は、バンクメモリ(9)が中央制御装置(1)に読み出されるときに、バンクメモリ(9)に含まれる次に読み出すべきバンクメモリ(9)のバンクアドレスを識別しかつ一時的に保持し、中央制御装置(1)からバンク切替用アドレス(0DF00h〜7DF07h)に対する読み出しアクセスが発生したとき、次に指定すべきバンクメモリ(9)のバンクアドレスを記憶制御装置(3)に付与して、記憶制御装置(3)を次のバンクメモリ(9)に切り替える。具体的には、記憶制御装置(3)の８つのバンクメモリ(9)は、中央制御装置(1)に送出する情報及び中央制御装置(1)によりアクセスされる各バンクメモリ(9)の次に読み出すべきバンクメモリ(9)の１６進法表示のバンクアドレスを記憶する。ラッチ装置(4a)は、中央制御装置(3)からバンク切替用アドレス(0DF00h〜7DF07h)に対する読み出しアクセスが発生したとき、１６進法表示で記憶するバンクアドレスを２進法表示のバンクアドレスに表示変換した後に、記憶制御装置(3)のバンクアドレスバス(A16〜A18)を通じて次のバンクメモリ(9)を指定する。中央制御装置(1)は、入力部で受信した入力信号に応答して記憶制御装置(3)のバンクメモリ(9)から付与される情報に従って出力部に指令信号を発生する。
【００２０】
同期信号発生回路(4b)は、中央制御装置(1)のバンク切替用アドレス(0DF00h〜7DF07h)に対する読み出しアクセスに従ってラッチ装置(4a)に同期信号を付与し、ラッチ装置(4a)は、同期信号発生回路(4b)から同期信号を受信したときに、次に指定すべきバンクメモリ(9)のバンクアドレスを記憶制御装置(3)に付与する。記憶制御装置(3)が次のバンクメモリ(9)に切り替えられたとき、中央制御装置(1)は、情報アドレス(00000h〜7FFFFh)をアドレスバス(A0〜A15)を通じて記憶制御装置(3)に送出して切り替えられた新たなバンクメモリ(9)から情報を受信し、ラッチ装置(4a)は、新たなバンクメモリ(9)に含まれる更に次のバンクアドレスを識別しかつ一時的に保持する。
【００２１】
リセット信号発生装置(4c)は、電源スイッチ(38)がオンに切り替えられ電源(11)が投入されたとき、パルスを発生する微分回路等のパルス発生回路により構成される。リセット信号発生装置(4c)からのリセット信号を受信したときに、ラッチ装置(4a)は、複数のバンクメモリ(9)のうち最初に読み出すべき第１のバンクメモリ(9a)を指定するバンクアドレスを自動的に選択して記憶制御装置(3)のバンクアドレスバス(A16〜A18)に送出するようにプログラム制御される。遅延回路(7)は、中央制御装置(1)からの読み出し信号を遅延させて記憶制御装置(3)のＯＥ端子(77)に付与し、記憶制御装置(3)の読み出し可能状態の開始を遅らせ、ラッチ装置(4a)が記憶制御装置(3)から受信するバンクアドレスを受信しかつ一時的に保持するタイミングを制御するタイマである。中央制御装置(1)は、バンクメモリ(9)からの情報に従って動作を行い、この動作が完了したときにＲＤ端子(75)よりバンク切替用アドレス(0DF00h〜7DF07h)に対する読み出しアクセスを発生し、この読み出しアクセスが発生したとき、同期信号発生回路(4b)が発生する同期信号により、ラッチ装置(4a)は、保持するバンクアドレスを１６進法表示から２進法表示に表示変換した後に、記憶制御装置(3)のバンクアドレスバス(A16〜A18)に送出し、ラッチ装置(4a)の記憶制御装置(3)は、次に指定されたバンクメモリ(9)に累進され固定される。このため、中央制御装置(1)は、情報アドレス(00000h〜7FFFFh)をアドレスバス(A0〜A15)に送出し、累進したバンクメモリ(9)に記憶された情報を受信して動作を行うことができる。
【００２２】
中央制御装置(1)により次にアクセスすべき各バンクメモリ(9)のバンクアドレスは、先行して中央制御装置(1)によりアクセスされるバンクメモリ(9)に書き込まれているので、中央制御装置(1)によりバンクメモリ(9)の内容を読み出すときに、ラッチ装置(4a)は、バンクメモリ(9)内に書き込まれたバンクアドレスをラッチ装置(4a)により検出しかつ一時的に保持すると共に、同期信号発生回路(4b)から同期信号を受信したときに、保持するバンクアドレスを１６進法表示から２進法表示に表示変換した後に記憶制御装置(3)のバンクアドレスバス(A16〜A18)に送出して、記憶制御装置(3)を次に指定されたバンクメモリ(9)に累進させる。
【００２３】
次に、本発明の紙葉類鑑別装置の動作について説明する。
図２に示すように、ステップ４１で電源スイッチ(38)をオンして電源装置(11)から電源を投入すると、リセット信号発生装置(4c)の出力端子からリセット信号が発生して、ラッチ装置(4a)のＣＬＲ（クリア）端子(71)にハイレベルのリセット信号が付与される。リセット信号がラッチ装置(4a)のＣＬＲ端子(71)に入力されると、ラッチ装置(4a)のデータ出力端子(1Q〜3Q)の出力端子全てがローレベルとなり、同時に、中央制御装置(1)がリセットされる。電源投入直後に中央制御装置(1)がリセットされると、同期信号発生回路(4b)の入力端子ＩＮ１(73)にアドレス０ＤＦ００ｈ〜０ＤＦ０７ｈを入力すると同時に、中央制御装置(1)のＲＤ端子(75)からの読み出し信号を同期信号発生回路(4b)の入力端子ＩＮ２(74)に付与する。これにより、同期信号発生回路(4b)の出力端子(76)は、クロック信号を発生するので、ラッチ装置(4a)のＣＫ（クロック）端子(72)に立ち上がり信号が入力される。ラッチ装置(4a)のデータ出力端子(1Q〜3Q)の出力端子全てがローレベルなので、ローレベルの情報がデータ出力端子(1Q〜3Q)から記憶制御装置(3)のバンクアドレスバス(A16〜A18)に送出される。これと同時に、遅延回路(7)を介して読み出し信号がＯＥ端子(77)に付与されるので、記憶制御装置(3)は、第１のバンクメモリ(9a)に切り替えられる。これにより、同期信号発生回路(4b)から次の立ち上がり信号がラッチ装置(4a)のＣＫ端子(72)に入力されるまで、データ出力端子(1Q〜3Q)の出力信号が保持されるので、電源投入直後に中央制御装置(1)からアクセスできる情報記憶装置(8)のアドレス範囲は、表１に示すように、第１のバンクメモリ(9a)を表す０００００ｈ〜０ＦＦＦＦｈのみとなる。
【００２４】
拡張記憶装置(2)のラッチ装置(4a)は、記憶制御装置(3)から発生するアドレス信号を受信して、バンクアドレスを一時的に保持するので、中央制御装置(1)は、十分な時間的余裕をもって記憶制御装置(3)から情報を読み出すことができる。即ち、ラッチ装置(4a)は、バンク切り替えの際に、新しく選択される毎にバンクメモリ(9)のバンクアドレスを保持して、中央制御装置(1)がアクセスする新しいバンクメモリに切り替えて固定する機能を有する。ラッチ装置(4a)により最初に指定され選択される第１のバンクメモリ(9a)は、次に選択すべきバンクメモリ(9)、例えば第３のバンクメモリ(9c)、第４のバンクメモリ(9d)又は第５のバンクメモリ(9e)の何れかを指定するプロトコルを記憶する。第１のバンクメモリ(9a)に記憶された情報は、バンクメモリ(9)のデータバス(D0〜D2)を通じて拡張記憶装置(2)から中央制御装置(1)に送出され、中央制御装置(1)は、プロトコルに従って拡張記憶装置(2)から情報を受信しかつ処理して指令信号を発生する。第１のバンクメモリ(9a)は、次のバンクメモリを１６進法表示で指定するバンクアドレスとなるプロトコルを記憶する情報中に含むので、このバンクアドレスは、ラッチ装置(4a)のデータ入力端子(1D〜3D)からラッチ装置(4a)内に一時的保持される。ラッチ装置(4a)は、同期信号発生回路(4b)からクロック信号を受信したときに、次に指定すべき第３のバンクメモリ(9c)、第４のバンクメモリ(9d)又は第５のバンクメモリ(9e)の何れかのバンクアドレスを１６進法表示から２進法表示に表示変換し、データ出力端子(1Q〜3Q)から記憶制御装置(3)のバンクアドレスバス(A16〜A18)に２進法表示のバンクアドレスを送出する。換言すれば、ラッチ装置(4a)は、同期信号発生回路(4b)からクロック信号を受信しない限り、データ入力端子(1D〜3D)に付与される次に指定すべき第３のバンクメモリ(9c)、第４のバンクメモリ(9d)又は第５のバンクメモリ(9e)の何れの２進法表示のバンクアドレスも記憶制御装置(3)のバンクアドレスバス(A16〜A18)に送出しない。
【００２５】
次に、紙葉類鑑別装置(10)の入口(14)に紙葉を挿入すると、図２に示すように、入口センサ(23)が紙葉挿入を検知（ステップ４２）し、入口センサ(23)の出力信号により中央制御装置(1)は、第１のバンクメモリ(9a)に記憶された情報に基づいて、中央制御装置(1)は、紙葉類鑑別装置(10)内での紙葉の搬送、読取、金種判別のプログラムを実行する。
【００２６】
最初に第１のバンクメモリ(9a)の情報を読み出す中央制御装置(1)は、第１のバンクメモリ(9a)に記憶されたプロトコルによる命令信号を搬送制御装置(16)に出力して、入口(14)から挿入された紙葉を搬送通路(29)に沿って紙葉類鑑別装置(10)内に搬送し、アドレス範囲０００００ｈ〜０ＦＦＦＦｈに記憶された挿入された紙葉の金種を判別するプログラムを実行する。ステップ４２からステップ４３に進み、搬送装置(16)に制御された搬送モータ(32)により紙葉を搬送しながら、搬送通路(29)内を通る間に磁気センサ(22)又は光学センサ(24〜26)を含む識別センサ(21)によって紙葉から光学的特徴又は磁気的特徴を検出し、中央制御装置(1)に検出信号が送出される。中央制御装置(1)は、読み取られた紙葉の情報と、第１のバンクメモリ(9a)に記憶された金種情報と比較し（ステップ４４）、挿入された紙葉の金種が判別される（ステップ４５）。
【００２７】
図２に示すように、各バンクメモリ(9)には、次に選択すべきバンクメモリ(9)を指定する１６進法表示のバンクアドレス（プロトコル）及び必要な動作情報００〜０７が記憶され、各情報００〜０７には、各バンクメモリ(9)毎にバンク切替用アドレス０ＤＦ００ｈ〜０ＤＦ０７ｈから７ＤＦ００ｈ〜７ＤＦ０７ｈまでが割り振られる。中央制御装置(1)は、アドレスバス(A0〜A15)を通じて記憶制御装置(3)のバンク切替用アドレス０ＤＦ００ｈ〜０ＤＦ０７ｈ−７ＤＦ００ｈ〜７ＤＦ０７ｈに記憶された情報００〜０７にアクセスし、情報００〜０７を読み込むことによりプログラム制御されたバンクメモリ(9)の切り替え動作を行う。
【００２８】
図２に示すように、ステップ４６の紙葉が分類１に該当する場合にステップ４８に進み、第１のバンクメモリ(9a)から第３のバンクメモリ(9c)に切り替えられた後に、ステップ５１に進む。ステップ４６の紙葉が分類１に該当しない場合に、ステップ４７に進み、紙葉が分類２に該当するか否か判断される。ステップ４７で紙葉が分類２に該当すると判断されたとき、ステップ４９に進み、第１のバンクメモリ(9a)から第４のバンクメモリ(9d)に切り替えられた後に、ステップ５１に進む。
【００２９】
ステップ４８で記憶制御装置(3)を第１のバンクメモリ(9a)から第３のバンクメモリ(9c)に切り替える場合に、中央制御装置(1)は、同期信号発生回路(4b)の入力端子ＩＮ１(73)にバンク切替用アドレス０ＤＦ００ｈ〜０ＤＦ０７ｈを入力すると同時に、中央制御装置(1)のＲＤ端子(75)からの読み出し信号を同期信号発生回路(4b)の入力端子ＩＮ２(74)に付与する。これにより、同期信号発生回路(4b)の出力端子(76)は、クロック信号を発生するので、ラッチ装置(4a)のＣＫ端子(72)に立ち上がり信号が入力され、この時のデータ入力端子(1D〜3D)を通じてラッチ装置(4a)内に保持された次に指定すべき第３のバンクメモリ(9c)の１６進法表示のバンクアドレスがデータ出力端子(1Q〜3Q)から２進法表示のバンクアドレスに変換されて記憶制御装置(3)のバンクアドレスバス(A16〜A18)に送出される。これと同時に、遅延回路(7)を介して読み出し信号がＯＥ端子(77)に付与されるので、図２に示すように、ステップ４５により金種が判定された紙葉が、ステップ４６にて予め設定された分類１の紙葉の場合に、記憶制御装置(3)では、第１のバンクメモリ(9a)から第３のバンクメモリ(9c)に切り替えられ、中央制御装置(1)のアクセス対象が第３のバンクメモリ(9c)に切り替えられ（ステップ４８）、中央制御装置(1)は、アドレスバス(A0〜A15)を通じて記憶制御装置(3)の情報アドレス２００００ｈ〜２ＦＦＦＦｈに記憶された情報にアクセスして、ステップ５１に進む。
【００３０】
中央制御装置(1)からの読み出し信号（バンク切替用アドレスに対する読み出しアクセス）が停止する瞬間に、記憶制御装置(3)は、読み出しモードを停止して、情報の出力を中止する。ラッチ装置(4a)のＣＫ端子(72)に同期信号発生回路(4b)の同期信号が付与された時にラッチ装置(4a)のアドレス出力端子(1Q〜3Q)から記憶制御装置(3)のバンクアドレスバス(A16〜A18)に２進法表示のバンクアドレス信号が付与されるが、バンクアドレス信号が付与される前に、記憶制御装置(3)が読み出しモードでなくなると、ラッチ装置(4a)のデータ出力端子(1Q〜3Q)からのバンクアドレス信号により記憶制御装置(3)のバンクメモリを切り替えられない可能性がある。そこで、記憶制御装置(3)が中央制御装置(1)からの読み出し信号を入力端子ＯＥ(77)に受けるタイミングを遅延回路(7)により遅らせて、記憶制御装置(3)がラッチ装置(4a)からバンクアドレス信号を受信した後に、記憶制御装置(3)が確実にバンク切り替えを行うことができる。
【００３１】
第３、第４及び第５のバンクメモリ(9c〜9e)には、真正な紙葉の新規な又は追加の情報が記憶されている。データ出力端子(1Q〜3Q)に保持されるプロトコルに従って、中央制御装置(1)は、第３のバンクメモリ(9c)の情報アドレス２００００ｈ〜２ＦＦＦＦｈに記憶された情報にアクセスすることができる。第３のバンクメモリ(9c)の記憶するバンクアドレスが割り振られた１６進法表示の情報００〜０７は、ラッチ装置(4a)のデータ入力端子(1D〜3D)に供給され、ラッチ装置(4a)は、第３のバンクメモリ(9c)の情報００〜０７を保持し、情報００〜０７は、第３のバンクメモリ(9d)から次のバンクメモリ(9)に切り替えるときに、２進法表示に表示変換されて使用される。
【００３２】
ステップ４９で記憶制御装置(3)を第１のバンクメモリ(9a)から第４のバンクメモリ(9d)に切り替える場合に、記憶制御装置(3)を第１のバンクメモリ(9a)から第３のバンクメモリ(9c)に切り替える場合と同様に、中央制御装置(1)は、同期信号発生回路(4b)の入力端子ＩＮ１(73)にバンク切替用アドレス０ＤＦ００ｈ〜０ＤＦ０７ｈを入力すると同時に、中央制御装置(1)のＲＤ端子(75)からの読み出し信号を同期信号発生回路(4b)の入力端子ＩＮ２(74)に付与する。これにより、同期信号発生回路(4b)の出力端子(76)は、クロック信号を発生するので、ラッチ装置(4a)のＣＫ端子(72)に立ち上がり信号が入力され、この時のデータ入力端子(1D〜3D)に保持された次に指定すべき第４のバンクメモリ(9d)の１６進法表示の情報００〜０７が、２進法表示に変換された後にデータ出力端子(1Q〜3Q)から記憶制御装置(3)のバンクアドレスバス(A16〜A18)に送出される。これと同時に、遅延回路(7)を介して読み出し信号がＯＥ端子(77)に付与されるので、図２に示すように、ステップ４５により金種が判定された紙葉が、ステップ４７にて予め設定された分類２の紙葉の場合に、記憶制御装置(3)では、第１のバンクメモリ(9a)から第４のバンクメモリ(9d)に切り替えられ、中央制御装置(1)のアクセス対象が第４のバンクメモリ(9d)に切り替えられる（ステップ４９）。データ出力端子(1Q〜3Q)に保持されるプロトコルに従って、中央制御装置(1)は、第４のバンクメモリ(9d)の情報アドレス３００００ｈ〜３ＦＦＦＦｈに記憶された情報にアクセスすることができる。第４のバンクメモリ(9d)内に含まれる次のバンクメモリ、即ち第４のバンクメモリ(9d)のバンク切替用アドレス(3DF00h〜3DF07h)に記憶する情報００〜０７は、ラッチ装置(4a)のデータ入力端子(1D〜3D)に供給され、ラッチ装置(4a)は、第４のバンクメモリ(9d)の情報００〜０７を保持する。第４のバンクメモリ(9d)の情報００〜０７は、第４のバンクメモリ(9d)から次のバンクメモリ(9)に切り替えるときに使用される。中央制御装置(1)は、アドレスバス(A0〜A15)を通じて記憶制御装置(3)の情報アドレス３００００ｈ〜３ＦＦＦＦｈに記憶された情報にアクセスして、ステップ５１に進む。
【００３３】
ステップ４７にて紙葉が分類２に該当しないと判定したとき、ステップ５０にて記憶制御装置(3)は、第１のバンクメモリ(9a)から第５のバンクメモリ(9e)に切り替えられる。第１のバンクメモリ(9a)から第３のバンクメモリ(9c)又は第１のバンクメモリ(9a)から第４のバンクメモリ(9d)への切り替えと同様の動作によって第１のバンクメモリ(9a)から第５のバンクメモリ(9e)に切り替えて情報アドレス４００００ｈ〜４ＦＦＦＦｈの情報にアクセスすることができると共に、ラッチ装置(4a)のデータ入力端子(1D〜3D)に第５のバンクメモリ(9e)のバンク切替用アドレス(4DF00h〜4DF07h)に記憶する情報００〜０７が供給される。紙葉の分類別によるバンクメモリ(9)に切り替えられた後、中央制御装置(10)は、ステップ５１にて切り替えられた各バンクメモリ(9)に記憶されたプログラムを実行し、識別センサ(21)から出力される紙葉の情報と切り替えられ第３、第４又は第５のバンクメモリ(9c,9d,9e)に予め記憶された真正紙葉の情報とを比較し、挿入された紙葉の真偽が判定される。
【００３４】
ステップ５２に進み、中央制御装置(1)は、紙葉の真偽鑑別を行い、紙葉を真正と判断したとき、ステップ５３に進み、搬送装置(16)に命令信号を出力する。このため、搬送装置(16)に制御された搬送モータ(32)により紙葉は、スタッカ(28)に搬送され、紙葉類鑑別装置(10)の上部に固定されたスタッカ(28)に収納され（ステップ５３）、ステップ５４に進む。また、挿入された紙葉の金種が第１のバンクメモリ(9a)に記憶された紙葉でないとステップ４５にて判断されたとき又はステップ５２にて紙葉が真正でないと判断されたとき、ステップ５５にて搬送装置(16)が逆転され、挿入された紙葉が入口(14)に返却され、ステップ５４に進む。ステップ５４では、バンクメモリが第１のバンクメモリ(9a)に切り替えられ、紙葉類鑑別装置(10)の動作は、ステップ４２に戻される。前記のように、本実施の形態では、中央制御装置(1)から発生する読み出し信号（バンク切替用アドレスに対する読み出しアクセス）により、記憶制御装置(3)を次のバンクメモリ(9)に切り替えると共に、記憶制御装置(3)を読み出しモードに切り替えて、中央制御装置(1)は、バンク切替用アドレス(0DF00h〜7DF07h)により切り替えられたバンクメモリ(9)から情報を読み出し信号により読み出して、入力部で受信する入力信号に対応してバンクメモリ(9)からの情報に従って出力部に出力を発生する。
【００３５】
拡張記憶装置(2)は、バンクメモリ(9)が中央制御装置(1)に読み出されるときに、バンクメモリ(9)に含まれる次に読み出すべきバンクメモリ(9)のバンクアドレスを識別しかつ一時的に保持し、中央制御装置(1)から次のバンク切替用アドレスに対する読み出しアクセスが発生したとき、次に指定すべきバンクメモリ(9)のバンクアドレスを記憶制御装置(3)に付与して、記憶制御装置(3)を次のバンクメモリ(9)に切り替えることができるので、中央制御装置(1)の処理容量が小さくても、複数のバンクメモリ(9)を所定の順序で切り替えて各バンクメモリ(9)から中央制御装置(1)に情報を取得することにより、中央制御装置(1)による多様な制御が可能となる。従って、処理容量の小さい従来の中央制御装置(1)を変更せずに、拡張記憶装置(2)のみを交換することにより、既存の装置をそのまま使用して制御機能を拡張又は変更することができる。中央制御装置(1)に接続された既存記憶装置(12)に代えて、従前の既存記憶装置(12)に記憶される容量の複数倍の容量で情報を記憶する記憶制御装置(3)に交換することにより、既存の中央制御装置(1)を使用して制御する情報を大幅に増大することができる。
【００３６】
本発明の実施の態様は、前記の実施の形態に限定されず、種々の変更が可能である。前記実施の形態では、紙葉類鑑別装置(10)の基本的な動作では第２、第６〜第８のバンクメモリ(9b, 9f〜9h)を使用しないが、説明しない情報、判断基準又は動作を行うためのプログラムを第２、第６〜第８のバンクメモリ(9b, 9f〜9h)に記憶させて、中央制御装置(1)に読み出し実行してもよい。前記実施の形態では、バンクメモリ(9)の設定は、例示に過ぎない。次に読み出すべきバンクメモリのバンクアドレスを１６進法表示でなく２進法表示でバンクメモリに記憶させてラッチ装置(4a)で識別しかつ一時的に保持してもよい。この場合に、ラッチ装置(4a)のデータ出力端子から記憶制御装置(3)にバンクアドレスを出力する際に、表示変換を行う必要がない。また、次に指定すべきバンクメモリ(9c)の１６進法表示のバンクアドレスの情報は、データ入力端子を通じてラッチ装置(4a)内に保持されるが、バンクアドレスバスに十分な容量があれば、２進法表示のバンクアドレスに表示変換せずに、データ出力端子から記憶制御装置(3)の１６進法表示のバンクアドレスをバンクアドレスバスにそのまま送出してバンクメモリ(9)を指定してもよい。
【００３７】
【発明の効果】
本発明による紙葉類鑑別装置では、処理容量が小さい中央制御装置を使用して中央制御装置による多様な制御が可能となり、装置の小型化を達成することができる。また、処理容量の小さい従来の中央制御装置を変更せずに、拡張記憶装置のみを交換することにより、中央制御装置の動作プログラムを大幅に変更できる。このため、既存の装置を廃棄せずそのまま使用して制御機能を拡張又は変更することができ、省資源化、省エネルギ化を達成できる。更に、本発明の紙葉類鑑別装置では、新しい紙葉の発行に伴う紙葉類鑑別装置の改良コストを低減することができる。
【図面の簡単な説明】
【図１】  本発明による実施の形態の紙葉類鑑別装置を示すブロック図
【図２】  紙葉類鑑別装置の動作手順を示すフローチャート
【図３】  紙葉類鑑別装置の一例を示す断面図
【図４】  従来の記憶制御装置を示すブロック図
【図５】  従来の紙葉類鑑別装置の動作手順を示すフローチャート
【符号の説明】
(1)・・中央制御装置、  (2)・・拡張記憶装置、  (3)・・記憶制御装置、  (4)・・アドレス指定装置、  (4a)・・ラッチ装置、  (4b)・・同期信号発生回路、(4c)・・リセット信号発生装置、  (7)・・遅延回路、  (8)・・情報記憶装置、  (9)・・バンクメモリ、  (10)・・紙葉類鑑別装置、  (12)・・既存記憶装置、  (14)・・入口、  (16)・・搬送装置、  (21)・・識別センサ、  (29)・・搬送通路、  (32)・・搬送モータ、
【図１】
0003902073.tif 000003
【図２】
0003902073.tif 000004
【図３】
0003902073.tif 000005
【図４】
0003902073.tif 000006
【図５】
0003902073.tif 000007